(57)【要約】【課題】多くの座席が配置された場所において、無線セル間の干渉を低減し、高周波数の無線アクセスポイントを複数配置することができる無線通信システムを提供する【解決手段】無線通信サービスの提供を受けるユーザが座る座席の前座席の下に、ユーザの無線端末と無線通信する無線通信部として無線アクセスポイント又はアクセスポイントに接続された漏洩導波管を配置する。無線通信部は、電波の放射パターンを制御するために、座席の下の金属製の座席支持構造を反射板として用いる、又は、座席背面を反射板として用いる。座席背面を反射板として用いる場合、座席背面は金属製又は金属塗料で構成されるか、金属製ではない場合は電波を反射する反射板又は反射シートが配置される。反射されたビームがユーザの上半身に向かうよう、無線アクセスポイントのビーム幅とビーム方向、又は漏洩導波管のスロットを調整する。【選択図】図１
2018037779.tif 000002
【特許請求の範囲】
【請求項１】
座席の背面又は座席の下に配置され、ユーザの無線端末と無線通信する無線通信部を備えた無線通信システムであって、
前記無線通信部は、放射又は受信する電波のビームを直接又は反射させて、該無線通信部が配置された前記座席の後ろに位置する他の座席にユーザが着席したときの上半身に向かうようにする、
ことを特徴とする無線通信システム。
【請求項２】
前記座席は、当該座席の下に当該座席を支える金属製の座席支持構造を有し、
前記無線通信部のメインビームは、上方かつ前記座席の背面に向かうように設定され、
前記無線通信部は、無線アクセスポイントに接続され、かつ、１以上のユーザの無線端末と無線通信する漏洩導波管又は漏洩同軸ケーブルであり、横に並んだ前記座席の前記座席支持構造と並列に配置され、放射又は受信する電波のビームを前記座席支持構造の面により反射させて、前記他の座席にユーザが着席したときの上半身に向かうようにする、
ことを特徴とする請求項１に記載の無線通信システム。
【請求項３】
前記無線通信部は、無線アクセスポイントに接続され、かつ、１以上のユーザの無線端末と無線通信する漏洩導波管又は漏洩同軸ケーブルであり、前記座席の下に配置され、
前記座席の背面は、電波を反射する反射部を有し、
前記無線通信部のメインビームは、上方かつ前記座席の背面に向かい、かつ、前記反射部により反射された電波のビームが前記他の座席にユーザが着席したときの上半身に向かうようにビーム幅とビーム方向が設定される、
ことを特徴とする請求項１に記載の無線通信システム。
【請求項４】
前記無線通信部は、アンテナを備えた無線アクセスポイントであり、前記座席の下に配置され、
前記座席の背面は、電波を反射する反射部を有し、
前記無線通信部の前記アンテナからのメインビームは、上方かつ前記座席の背面に向かい、かつ、前記反射部により反射された電波のビームが前記他の座席にユーザが着席したときの上半身に向かうようにビーム幅とビーム方向が設定される、
ことを特徴とする請求項１に記載の無線通信システム。
【請求項５】
前記反射部は、前記無線アクセスポイントの前記アンテナからのビームのサイドローブを反射しないよう制限する大きさである、
ことを特徴とする請求項４に記載の無線通信システム。
【請求項６】
前記反射部と前記座席の背面との間に空隙に、前記電波の一部が伝わる、
ことを特徴とする請求項３から請求項５のいずれか一項に記載の無線通信システム。
【請求項７】
前記反射部は、前記座席の金属製の背面部分と、前記座席の金属性の塗料が塗布された前記座席の背面部分と、前記座席の背面に配置され、電波を反射する反射板と、前記座席の背面に配置され、電波を反射する反射シートとのうちいずれかである、
ことを特徴とする請求項３から請求項６にいずれか一項に記載の無線通信システム。
【請求項８】
前記反射部は、電波を反射する反射板又は反射シートであり、
前記反射板又は前記反射シートは、前記座席に着脱可能な座席カバーに設けられる、
ことを特徴とする請求項３から請求項６のいずれか一項に記載の無線通信システム。
【発明の詳細な説明】
【技術分野】
【０００１】
本発明は、無線通信システムに関する。
【背景技術】
【０００２】
近年、インターネット経由で動画を観るサービスが普及しており、モバイル通信においても高速なダウンロードが求められている。また動画を撮影するビデオカメラも小型化していること、スマートホンなどでも動画撮影が容易にできるようになったことなどから、ユーザが撮影した動画をアップロードする需要も見込まれている。特に、スポーツスタジアムなどで試合観戦時などにユーザがリアルタイムで動画をアップロードする場合、その施設において通信トラヒックが急増し、高速な通信が難しいという課題がある。
【０００３】
無線通信システムにおける通信容量の増大に伴い、数ＧＨｚ（ギガヘルツ）の周波数帯域では周波数帯域が逼迫している。そこで、帯域幅を確保でき、情報を高速に伝送できる準ミリ波帯やミリ波帯を利用した無線通信技術が注目されている。第５世代移動通信システムでは準ミリ波帯域の周波数割り当てが期待されている他、６０ＧＨｚ帯は次世代Ｗｉ−Ｆｉ（登録商標）として研究開発が進められており、世界各国で無線免許無しで利用でき、１Ｇｂｐｓ（ギガビット毎秒）以上の通信速度が得られる無線システムとして期待されている（例えば、非特許文献１参照）。
【０００４】
高マイクロ波帯域以上の周波数である準ミリ波帯やミリ波帯の電波は指向性が強く、従来移動通信で使われている数ＧＨｚ以下の無線信号のように回折した電波を利用した通信ができないという課題がある。よって、無線機との間に障害物が無い、見通しが取れる状態で通信することが検討されている。特に６０ＧＨｚ帯は空気中の酸素分子による電波吸収が大きく、１０ｍ未満の距離で使うことが想定されている。
【０００５】
６０ＧＨｚ帯の無線システムはＩＥＥＥ８０２．１１ａｄとして標準化が進められ、４つの周波数チャネルが割り当てられているが、国によって使える周波数チャネルが異なっている。チャネル２番とチャネル３番は使える国が多く、この帯域から利用が進むと考えられている。一方、多数の人が集まる場所において高速通信システムを提供する場合、無線セルを形成して面積当たりの通信容量を増やすことが求められている。しかし、６０ＧＨｚ帯のミリ波帯域の場合、当面普及が見込まれるチャネルが上述のように２つである。そのため、高密度に無線セルを配置する場合、同じ周波数チャネルを繰り返し利用するときのセル間の干渉が課題となる。
【０００６】
また一方、見通し通信、近距離での通信を実現するためには、無線アクセスポイントをユーザの近くに配置することが必要となる。従って、不特定多数の人が来る場所、空間が限られる場所においては、歩行の安全性や盗難防止を考慮した設置が必要である。
【先行技術文献】
【非特許文献】
【０００７】
【非特許文献１】陸上無線通信委員会60GHz帯無線設備作業班，“「60GHz帯の周波数の電波を利用する無線設備の高度化に係る技術的条件」の検討状況について”，[online]，平成27年，[平成28年8月2日検索]，インターネット<URL:http://www.soumu.go.jp/main_content/000341594.pdf>
【非特許文献２】塚本悟司，外5名，“漏洩同軸ケーブルによるリニアセルMIMO技術  〜高信頼・低遅延な5G移動通信の実現に向けて〜”，電子情報通信学会技術研究報告，一般社団法人  電子情報通信学会，2014年，RCS，無線通信システム，Vol.114，No,254，p.55-60
【発明の概要】
【発明が解決しようとする課題】
【０００８】
上記事情に鑑み、本発明は、多くの座席が配置された場所において、無線セル間の干渉を低減し、高周波数帯の無線アクセスポイントを複数配置することができる無線通信システムを提供することを目的としている。
【課題を解決するための手段】
【０００９】
本発明の一態様は、座席の背面又は座席の下に配置され、ユーザの無線端末と無線通信する無線通信部を備えた無線通信システムであって、前記無線通信部は、放射又は受信する電波のビームを直接又は反射させて、該無線通信部が配置された前記座席の後ろに位置する他の座席にユーザが着席したときの上半身に向かうようにする。
【００１０】
本発明の一態様は、上述の無線通信システムであって、前記座席は、当該座席の下に当該座席を支える金属製の座席支持構造を有し、前記無線通信部のメインビームは、上方かつ前記座席の背面に向かうように設定され、前記無線通信部は、無線アクセスポイントに接続され、かつ、１以上のユーザの無線端末と無線通信する漏洩導波管又は漏洩同軸ケーブルであり、横に並んだ前記座席の前記座席支持構造と並列に配置され、放射又は受信する電波のビームを前記座席支持構造の面により反射させて、前記他の座席にユーザが着席したときの上半身に向かうようにする。
【００１１】
本発明の一態様は、上述の無線通信システムであって、前記無線通信部は、無線アクセスポイントに接続され、かつ、１以上のユーザの無線端末と無線通信する漏洩導波管又は漏洩同軸ケーブルであり、前記座席の下に配置され、前記座席の背面は、電波を反射する反射部を有し、前記無線通信部のメインビームは、上方かつ前記座席の背面に向かい、かつ、前記反射部により反射された電波のビームが前記他の座席にユーザが着席したときの上半身に向かうようにビーム幅とビーム方向が設定される。
【００１２】
本発明の一態様は、上述の無線通信システムであって、前記無線通信部は、アンテナを備えた無線アクセスポイントであり、前記座席の下に配置され、前記座席の背面は、電波を反射する反射部を有し、前記無線通信部の前記アンテナからのメインビームは、上方かつ前記座席の背面に向かい、かつ、前記反射部により反射された電波のビームが前記他の座席にユーザが着席したときの上半身に向かうようにビーム幅とビーム方向が設定される。
【００１３】
本発明の一態様は、上述の無線通信システムであって、前記反射部は、前記無線アクセスポイントの前記アンテナからのビームのサイドローブを反射しないよう制限する大きさである。
【００１４】
本発明の一態様は、上述の無線通信システムであって、前記電波反射部と前記座席の背面との間に空隙に、前記電波の一部が伝わる。
【００１５】
本発明の一態様は、上述の無線通信システムであって、前記反射部は、前記座席の金属製の背面部分と、前記座席の金属性の塗料が塗布された前記座席の背面部分と、前記座席の背面に配置され、電波を反射する反射板と、前記座席の背面に配置され、電波を反射する反射シートとのうちいずれかである。
【００１６】
本発明の一態様は、上述の無線通信システムであって、前記反射部は、電波を反射する反射板又は反射シートであり、前記反射板又は前記反射シートは、前記座席に着脱可能な座席カバーに設けられる。
【発明の効果】
【００１７】
本発明により、多くの座席が配置された場所において、無線セル間の干渉を低減し、高周波数帯の無線アクセスポイントを複数配置することができる無線通信システムを提供できる。
【図面の簡単な説明】
【００１８】
【図１】本発明の第１の実施形態による無線通信システムにおける座席と漏洩導波管の配置を横から見た図である。
【図２】同実施形態による無線通信システムにおける漏洩導波管及び無線アクセスポイントの配置を座席の背面から見た図である。
【図３】第２の実施形態による無線通信システムにおける座席と漏洩導波管の配置を横から見た図である。
【図４】同実施形態による無線通信システムにおける漏洩導波管及び無線アクセスポイントの配置を座席の背面から見た図である。
【図５】同実施形態による座席支持構造に対するスロットの配置を示す図である。
【図６】第３の実施形態による無線通信システムにおける座席と漏洩導波管の配置を横から見た図である。
【図７】第４の実施形態による無線通信システムにおける座席と無線アクセスポイントの配置を横から見た図である。
【図８】同実施形態による無線通信システムにおける反射部を横から見た図である。
【図９】第５の実施形態による無線通信システムにおける座席と無線アクセスポイントの配置を横から見た図である。
【図１０】第６の実施形態による無線通信システムにおける座席の背面を示す図である。
【図１１】同実施形態による電波吸収帯を設けた座席の背面を示す図である。
【図１２】同実施形態による無線通信システムにおける座席と無線アクセスポイントの配置を横から見た図である。
【図１３】第７の実施形態による無線通信システムにおいて用いられる座席カバーを示す図である。
【図１４】同実施形態による無線通信システムにおいて用いられる座席カバーを示す図である。
【発明を実施するための形態】
【００１９】
以下に、実施形態における無線システムの構成を、図面を用いて説明する。本実施形態の無線通信システムは、無線アクセスポイントが、準ミリ波およびミリ波等の高マイクロ波帯以上の高周波数帯を利用してユーザの無線端末と通信するように構成される。
【００２０】
（第１の実施形態）
図１は、本実施形態の無線通信システムにおける座席１１１と漏洩導波管２１１の配置を横から見た図であり、図２は、本実施形態の無線通信システムにおける漏洩導波管２１１及び無線アクセスポイント３１１の配置を座席１１１の背面から見た図である。本実施形態の無線通信システムによる無線通信サービスの提供場所には、１以上の座席１１１が横に並んだ列が複数列ある。この無線通信サービスの提供場所は、例えば、スポーツスタジアムや講堂、電車内など、多数の座席が固定配置された場所であるが、これらに限らず任意の場所とすることができる。
【００２１】
図１では、縦に並んだ異なる列の３つの座席１１１を座席１１１−１、１１１−２、１１１−３と記載している。なお、同図では、後ろの列ほど座席１１１の設置位置が高くなっているが、異なる列の座席１１１が同じ高さに設置されるなど、座席１１１を設置する高さは任意としてもよい。図１に示すように、本実施形態の無線通信システムでは、無線通信サービスの提供を受けるユーザが座る座席１１１−ｉ（ｉ＝２、３、…）の前の座席１１１−（ｉ−１）の背面に、無線アクセスポイント３１１に接続された漏洩導波管２１１を配置する。なお、漏洩導波管２１１に代えて漏洩同軸ケーブルを用いてもよい。漏洩導波管２１１（又は漏洩同軸ケーブル）は、高マイクロ波帯以上の高周波数帯を利用して１以上の無線端末と通信する無線通信部である。
【００２２】
図２は、座席１１１の背もたれ１１２を背面から見た構成図を示している。漏洩導波管２１１は、座席１１１の背もたれ１１２の背面に、同じ列に並んだ複数の座席１１１に亘って設定される。無線アクセスポイント３１１からの電波は漏洩導波管２１１に伝わる。漏洩導波管２１１には電波を放射するためのスロット２１２が設けられている。このスロット２１２が放射および受信する電波のメインビームが、漏洩導波管２１１が設置されている座席１１１の後ろの座席に座っている、無線通信サービス提供対象のユーザの上半身の方向に直接向かうよう、スロット２１２から放射されるビームのビーム幅とビーム方向を選択する。具体的には、スロット２１２の間隔とスロット２１２の大きさや形状を選択することで、ビーム方向を調整することができる。
【００２３】
本実施形態においては、横並びの複数の座席１１１において、１つの無線アクセスポイント３１１をシェア（複数人で使用）する場合に適している。ユーザが着席する座席１１１−ｉの前の座席１１１−（ｉ−１）及び後部の座席１１１−（ｉ＋１）に対しては、座席１１１−（ｉ−１）に座っている他の人や、座席１１１−ｉに座っているユーザなどの人体による無線信号の減衰が大きくなることが予想でき、無線信号の干渉を抑えることができる。
【００２４】
（第２の実施形態）
本実施形態の無線通信システムは、無線アクセスポイントに接続される漏洩導波管又は漏洩同軸ケーブルを、座席を支える金属製の支持構造の背面に設けた構成である。
【００２５】
図３は、本実施形態の無線通信システムにおける座席１１１と漏洩導波管２２１の配置を横から見た図である。同図において、図１に示す第１の実施形態による無線通信システムと同一の部分には同一の符号を付し、その説明を省略する。
【００２６】
図３に示すように、本実施形態の無線通信システムでは、無線通信サービスの提供を受けるユーザが座る座席１１１−ｉ（ｉ＝２，３…）の前の座席１１１−（ｉ−１）の下の金属製の座席支持構造４２１に、図４に示す無線アクセスポイント３２１に接続された漏洩導波管２２１を配置する。なお、漏洩導波管２２１に代えて漏洩同軸ケーブルを用いてもよい。漏洩導波管２２１（又は漏洩同軸ケーブル）は、高マイクロ波帯以上の高周波数帯を利用して１以上の無線端末と通信する無線通信部である。座席支持構造４２１は、座席１１１を支持し、床などに固定するための支持構造である。
【００２７】
陸上競技場などの観客席では、座席から競技場への見通しを良くするため、床が階段状になっているところが多い。この場合、座席１１１−ｉに座るユーザの無線端末との接続に使用する漏洩導波管２２１を、座席１１１−（ｉ−１）の下でかつ、座席１１１−ｉが設置されている面よりも下の位置に設定する。この設置位置は、ユーザの足がぶつかりにくいため、漏洩導波管２２１を置く場合にも歩行時の安全性を確保しやすい。
【００２８】
図４は、本実施形態の無線通信システムにおける漏洩導波管２２１及び無線アクセスポイント３２１の配置を座席１１１の背面から見た図である。同図は、座席１１１の背もたれ１１２の背面を見た構成図を示している。同図に示すように、漏洩導波管２２１は、同じ列に並んだ複数の座席１１１の下の金属製の座席支持構造４２１に、複数の座席１１１に亘って設定される。無線アクセスポイント３２１からの電波は、漏洩導波管２２１に伝わる。漏洩導波管２２１には電波を放射するためのスロット２２２が設けられている。このスロット２２２により放射および受信する電波のメインビームは、上方向かつユーザの前座席の背面に向かうよう設定する。
【００２９】
図５は、座席支持構造４２１に対するスロット２２２の配置を示す図である。図５（ａ）は、座席支持構造４２１を複数のスロット２２２の反射板として使用する場合を示し、図５（ｂ）は、座席支持構造４２１を１つのスロット２２２の反射板として使用する場合を示す。図５（ａ）及び図５（ｂ）に示すように、漏洩導波管２２１は、スロット２２２が上方に向くように設置される。スロット２２２から放射する電波及びスロット２２２が受信する電波のメインビームは、上方向かつ漏洩導波管２２１（又は漏洩同軸ケーブル）が設置されている座席支持構造４２１を有する座席１１１の背面、つまり、無線通信サービスの提供を受けるユーザが着席する座席の前座席の背面に向かっており、金属製の座席支持構造４２１の１つの面を反射板として使う。なお、反射板として使用する面は、座席支持構造４２１の形状によっては複数面であってもよい。
【００３０】
これにより、漏洩導波管２２１は、座席支持構造４２１の面を反射させて、その漏洩導波管２２１が配置された座席１１１の後ろに位置する他の座席に着席したユーザの上半身の方向に放射又は受信する電波のビームを向ける。これにより、前座席方向への電波の干渉を抑圧する。
【００３１】
（第３の実施形態）
本実施形態の無線通信システムは、無線アクセスポイントに接続される漏洩導波管又は漏洩同軸ケーブルをユーザが着席する座席の前座席の下に配置する。
【００３２】
図６は、本実施形態の無線通信システムにおける座席１１１と漏洩導波管２３１の配置を座席１１１の横から見た図である。同図において、図１に示す第１の実施形態による無線通信システムと同一の部分には同一の符号を付し、その説明を省略する。
【００３３】
同図に示すように、無線通信サービスの提供を受けるユーザが座る座席１１１−ｉ（ｉ＝２，３，…）の前の座席１１１−（ｉ−１）の下に、無線アクセスポイントに接続された漏洩導波管２３１を配置する。同図では、座席１１１が設置されている床の段差の垂直部分に漏洩導波管２３１を配置しているが、座席１１１の下であればこれに限らない。なお、漏洩導波管２３１に代えて、漏洩同軸ケーブルを用いてもよい。漏洩導波管２３１（又は漏洩同軸ケーブル）は、高マイクロ波帯以上の高周波数帯を利用して１以上の無線端末と通信する無線通信部である。
【００３４】
無線アクセスポイントからの電波は、漏洩導波管２３１に伝わる。漏洩導波管２３１は、電波を放射するためのスロットが設けられている。このスロットが放射および受信する電波のメインビームは上方向、かつ、ユーザが座る座席１１１の前座席の背面に向かうよう設定する。座席１１１の背もたれ１１２の背面には、反射部１３１が設けられる。反射部１３１は、金属製の背もたれ１１２の背面部分でもよく、背もたれ１１２の背面に金属塗料を塗布して形成してもよい。背もたれ１１２が金属製ではない場合は、背もたれ１１２の背面に電波を反射する反射板又は反射シートを配置し、反射部１３１とする。反射部１３１により反射されたビームが、ユーザが座席１１１に着席している時の上半身に向かうよう、スロットから放射されるビームの幅とビーム方向を選択する。
【００３５】
本実施形態においても、横並びの複数座席において、１つの無線アクセスポイントをシェア(共有）する場合に適している。本実施形態であれば前後の座席への無線信号の干渉を抑えることができる。
【００３６】
（第４の実施形態）
本実施形態の無線通信システムは、無線アクセスポイントを座席の下に設置した構成である。
【００３７】
本実施形態の無線通信システムにおける座席１１１と無線アクセスポイント３４１の配置を横から見た図は、図６に示す第３の実施形態と同様である。すなわち、図６において漏洩導波管２２１が配置されている位置に、アンテナを有する無線アクセスポイント３４１が配置される。無線アクセスポイント３４１は、高マイクロ波帯以上の高周波数帯を利用して無線端末と通信する無線通信部である。
【００３８】
図７は、本実施形態の無線通信システムにおける無線アクセスポイント３４１の配置を座席１１１の背面から見た図である。図６及び図７に示すように、無線通信サービスの提供を受けるユーザが座る座席１１１−ｉの前の座席１１１−（ｉ−１）の下に、無線アクセスポイント３４１を配置する。無線アクセスポイント３４１に内蔵されたアンテナが放射および受信する電波のメインビームは、上方向かつ、ユーザが座る座席１１１の前座席の背面に向かうよう設定する。座席１１１の背もたれ１１２の背面には、反射部１３１が設けられる。反射部１３１は、金属製の背もたれ１１２の背面部分でもよく、背もたれ１１２の背面に金属塗料を塗布して形成してもよい。背もたれ１１２が金属製ではない場合は、背もたれ１１２の背面に電波を反射する反射板又は反射シートを配置し、反射部１３１とする。反射部１３１により反射されたビームが、ユーザが座席１１１に着席している時の上半身に向かうよう、無線アクセスポイント３４１のビーム幅とビーム方向を選択する。
【００３９】
なお、ビームの向きを反射板又は反射シートにより調整してもよい。
図８は、ビームの向きを反射板又は反射シートにより調整する場合の無線通信システムにおける座席１１１と無線アクセスポイント３４１の配置を横から見た図である。同図において、図６に示す第３の実施形態による無線通信システムと同一の部分には同一の符号を付し、その説明を省略する。同図では、座席１１１の背もたれ１１２の背面に、電波を反射する反射板又は反射シートが反射部１３２として設置される。この、反射部１３２の反射面の角度又は曲面を、座席１１１の背面とは異ならせることにより、ビーム方向や電波到達エリアの調整を行うこともできる。例えば、無線アクセスポイント３４１からのビームを天井方向に設置するよう統一することで、取り付け工事を簡易に行うことができる。この際、傾きや曲面が座席１１１の座面とは異なる反射板を用いることで、無線アクセスポイント３４１のビームを所望の方向へ向けることができる。
【００４０】
（第５の実施形態）
本実施形態では、座席背面の反射板又は反射シートをタブレット置き場やチラシ入れとして使う。
【００４１】
図９は、本実施形態の無線通信システムにおける座席１１１と無線アクセスポイント３４１の配置を座席１１１の横から見た図である。同図における座席１１１と無線アクセスポイント３４１の配置は、図８に示す第４の実施形態と同様である。同図に示すように、座席１１１は、背もたれ１１２との間に空隙を設けるように反射部１３３を設ける。反射部１３３は、電波を反射する反射板又は反射シートである。反射部１３３と、座席１１１の背もたれ１１２の背面との間に空隙を設ければ、無線アクセスポイント３４１が放射又は受信する電波の一部をその空隙内にも伝わらせることができる。
【００４２】
観客席などの空間的に限られた場所においては、座席背面の有効利用が求められる。背もたれ１１２と反射部１３３の間の空隙を、ユーザが持ってきた自分の無線端末を置くスペースとして活用できる他、イベントの主催者側が無線機能内蔵のディスプレイを配置することができる。
【００４３】
また、鉄道の座席や航空機の座席においては、前座席背面に、広報用の雑誌やショッピングカタログなどが配備されている。座席１１１の背もたれ１１２と反射板（反射部１３３）との間に空隙を設けることで、これらの収納スペースとしても活用できる。
なお、空隙内に端末等が配置されない場合は、空隙内に伝わった電波は天井方向へ抜けて行くため他セルへの干渉は抑えることができる。
【００４４】
（第６の実施形態）
本実施形態では、第４の実施形態において反射部１３１として用いられる反射板又は反射シートが無線アクセスポイントからのメインビームのサイドローブを反射しないようにする。
【００４５】
図１０は、本実施形態の無線通信システムにおける座席１１１の背面を示す図である。本実施形態においては、第４の実施形態と同様に無線アクセスポイント３４１が設置される。同図に示すように、座席１１１の背もたれ１１２の背面には、反射部１３４として電波を反射する反射板又は反射シートが設置される。反射部１３４としての反射板又は反射シートの面積が、無線アクセスポイント３４１からのメインビームのサイドローブを反射しないよう制限する。
【００４６】
無線アクセスポイント３４１から放射されるビームは、内部のアンテナの特性によるが、例えば、同図のビームパターンＢに示すように、−１０ｄＢ〜−３０ｄＢ程度低い電力の異なる方向に放射されるサイドローブ信号も発生することが多い。特に、第一サイドローブ信号のレベルは高いことが多く、この信号はセルを広げる時には有利であるが、無線セルのエリアを限定する場合には他セルへの干渉となる。そこで、反射部１３４の面積を調整し、メインビームだけを反射するようにすれば、サイドローブ信号は前座席背面に当たり吸収および散乱される。反射板での反射と異なり、散乱波は空間的に拡散するため、ピーク電力は下げることができ、他セルへの干渉を低減することができる。
【００４７】
図１１は、電波吸収帯１３５を設けた座席１１１の背面を示す図である。同図に示すように、座席１１１の背もたれ１１２の背面には、図１０と同様に、反射部１３４として電波を反射する反射板又は反射シートが設置される。この反射板又は反射シートの面積は、無線アクセスポイント３４１からのメインビームのサイドローブを反射しないよう制限される。さらに、この反射板又は反射シートの外部に電波吸収帯１３５を設ける。電波吸収帯１３５は、電波吸収効果を持つシートである。
【００４８】
前述したように、無線アクセスポイントから放射されるビームはサイドローブ信号も発生することが多い。そこで、背もたれ１１２に設置する反射板又は反射シートの面積を調整してメインビームだけを反射するようにし、かつ、サイドローブ信号は電波吸収する効果がある材料で吸収する。これによりサイドローブ信号の放射電力を下げることができ、他セルへの干渉を低減することができる。
【００４９】
図１２は、本実施形態の無線通信システムにおける座席１１１と無線アクセスポイント３４１の配置を座席１１１の横から見た図である。上述したように、陸上競技場などの観客席では座席から競技場への見通しを良くするため床が階段状になっているところが多い。座席の下でかつ階段の段差のすぐ下はユーザの足がぶつかりにくいため、無線アクセスポイント３４１を置く場合にも歩行時の安全性を確保しやすい。また、ユーザから無線アクセスポイント３４１が見えにくい位置でもあり、盗難を防止できる。
【００５０】
（第７の実施形態）
本実施形態の無線通信システムでは、反射板又は反射シートが、着脱可能な座席カバーと一体となっている。
【００５１】
図１３は、本実施形態の無線通信システムにおいて用いられる座席カバー５００を示す図である。図１３（ａ）は、背もたれ１１２に装着した座席カバー５００を前面から見た図であり、図１３（ｂ）は、背もたれ１１２に装着した座席カバー５００を背面から見た図である。座席カバー５００の前面は、座席１１１に装着したときに背もたれ１１２の前面を覆い、座席カバー５００の背面は、座席１１１に装着したときに背もたれ１１２の背面を覆う。座席カバー５００の前面と背面とは、取り付けベルト５０１ａ、５０１ｂ、５０１ｃ、５０１ｄによりつながっている。また、同図に示すように、座席背面に設置される反射部５０３が、着脱可能な座席カバー５００と一体となっている。反射部５０３は、電波を反射する反射板又は反射シートである。座席カバー５００の前面部５０２には、クッション性のある素材が用いられる。
【００５２】
このように、座席カバー５００を座席１１１に装着したときに背もたれ１１２の背面となるに部分には、電波を反射する反射板又は反射シートである反射部５０３が配置される。反射部５０３の機能は、上述した反射部１３１又は１３４と同様である。座席カバー５００の背面における反射部５０３の外部には、電波吸収帯５０４が配置される。電波吸収帯５０４の機能は、上述した電波吸収帯１３５と同様である。
【００５３】
座席背面後方に反射板を取り付ける場合、ネジや接着剤などでの取り付けも可能である。しかし、座席に穴を開けるなどの工事が必要なためにコストが高くなること、また、不要になった場合の撤去時に座席に加工跡が残ることなどが課題である。そこで、本実施形態のように、ベルトやゴムなどで構成された取り付けカバーと一体になっていれば、電波を反射する反射板又は反射シートを座席の背面に取り付けることが容易である。また、座席カバー５００の前面、すなわち、座席背面の座面となる部分にクッション性のある素材などを使うことで、ユーザに快適さも提供することができる。
【００５４】
図１４は、本実施形態の無線通信システムにおいて用いられる座席カバー５１０を示す図である。図１４（ａ）は、背もたれ１１２に装着した座席カバー５１０を前面から見た図であり、図１４（ｂ）は、背もたれ１１２に装着した座席カバー５１０を背面から見た図であり、図１４（ｃ）は、背もたれ１１２に装着した座席カバー５１０を側面から見た図である。同図に示すように、座席背面に設置される電波を反射する反射板又は反射シートである反射部５０３が、着脱可能な座席カバー５１０と一体となっている。座席カバー５１０は、図１２に示す座席カバー５００の構成に加え、ポケット５１１も一体としている。ポケット５１１を、例えば、端末収納用に用いる。電波を透過しやすい素材で作ることで、ポケット５１１に収納された端末は、無線アクセスポイント３４１と接続することができる。無線端末を高い位置に置くことで、タブレットなどのディスプレイを見るのに適している他、他の低い周波数の無線通信システムとの通信も容易である。
【００５５】
また、図５に示すような前座席の金属性の座席支持構造と、前座席背面に配置する反射板を組み合わせることで、一部の電波、特に垂直方向に向かう電波を２回反射させることができ、ユーザ端末の受信電力を増加させることができる。
【００５６】
以上説明したように、実施形態の無線通信システムでは、無線通信サービスの提供を受けるユーザが座る座席の前座席の背面に、無線アクセスポイントに接続された漏洩導波管又は漏洩同軸ケーブルを配置する。この漏洩導波管又は漏洩同軸ケーブルが放射および受信する電波のメインビームは、ユーザが着席した時の上半身に直接向かうよう、漏洩導波管の放射用スロットの数、スロット間の間隔、スロットの大きさを調整する。なお、一つの漏洩導波管で複数のユーザに通信を提供する。また、漏洩導波管又は漏洩同軸ケーブルに代えて無線アクセスポイントを設定してもよい。
【００５７】
また、実施形態の無線通信システムでは、無線通信サービスの提供を受けるユーザが座る座席の前座席の下に、無線アクセスポイントに接続された漏洩導波管又は漏洩同軸ケーブルを配置する。この漏洩導波管又は漏洩同軸ケーブルが放射および受信する電波のメインビームは、上方向かつユーザの前座席の背面に向かうよう設定する。この漏洩導波管又は漏洩同軸ケーブルは金属製の座席支持構造と並列に配置され、その金属製の座席支持構造の１つ又は複数の面を反射板として用いる。反射されたビームは、ユーザが着席した時の上半身に向かう。
【００５８】
また、実施形態の無線通信システムでは、無線通信サービスの提供を受けるユーザが座る座席の前座席の下に、無線アクセスポイントに接続された漏洩導波管又は漏洩同軸ケーブルを配置する。この漏洩導波管又は漏洩同軸ケーブルが放射および受信する電波のメインビームは、上方向かつユーザの前座席の背面に向かうよう設定する。座席背面は金属製又は金属塗料が塗布されるか、金属製ではない場合は電波を反射する反射板又は反射シートが座席背面に配置される。反射されたビームは、ユーザが着席した時の上半身に向かうよう、無線アクセスポイントのビーム幅とビーム方向を選択する。
【００５９】
また、実施形態の無線通信システムでは、無線通信サービスの提供を受けるユーザが座る座席の前座席の下に、無線アクセスポイントを配置する。無線アクセスポイントに内蔵されたアンテナが放射および受信する電波のメインビームは、上方向かつユーザの前座席の背面に向かうよう設定する。座席背面は金属製又は金属塗料が塗布されるか、金属製ではない場合は電波を反射する反射板又は反射シートが座席背面に配置される。反射されたビームは、ユーザが着席した時の上半身に向かうよう、無線アクセスポイントのビーム幅とビーム方向を選択する。
【００６０】
なお、座席背面に設置され、電波を反射する反射板又は反射シートと、座席背面との間に空隙を設け、電波の一部をその空隙内にも伝わらせてもよい。
【００６１】
また、座席背面に設置され、電波を反射する反射板又は反射シートの面積を、無線アクセスポイントのアンテナからのメインビームのサイドローブを反射しないよう制限してもよい。
【００６２】
また、座席背面に設置され、電波を反射する反射板又は反射シートは、着脱可能な座席カバーと一体となっていてもよい。
【００６３】
ミリ波帯域は人体による遮蔽の効果が大きく、ターゲットユーザの後方への干渉を低減することができる。上述した実施形態によれば、座席に人がいない場合においても、座席および座席の反射板による遮蔽効果が期待できるため、後方座席への干渉を低減することができる。また、ビーム幅を制限することにより、ターゲットユーザの前方への電波の回り込みも低減することができる。
さらには、ターゲットユーザの前席への干渉も、座席や人体の吸収により低減することができる。
【００６４】
図１のように、一人をターゲットとした小セルを形成したとしても、前後座席への干渉を低減できれば２つのチャネルを用いて干渉を低減したセルを実現することができる。
また、上述した実施形態によれば、電波の直進性の強い高マイクロ波帯域以上の周波数を用いる無線通信システムにおいて、座席背もたれ、床の段差、人体吸収を利用した小セル形成を行い、他セルへ漏えいする無線電力を制限することができ、高密度に無線アクセスポイントを配置することができる。これにより面積当たりの伝送容量を増加させることができる。また、上述した実施形態では、ユーザから死角になりやすい位置に無線アクセスポイントを配置することができるため、盗難防止および突起物による人歩行時の転倒を防止することができる。また、無線アクセスポイントへの有線配線（電源、通信ケーブル）も邪魔になりにくい位置に設置でき、人歩行時の転倒を防止することができる。
【００６５】
本実施形態によれば、スポーツスタジアムや講堂のように多くの座席が配置された場所において、無線セル間の干渉を低減し、高周波数帯の無線アクセスポイントを複数配置した無線通信システムを提供することができる。
【００６６】
以上、この発明の実施形態について図面を参照して詳述してきたが、全て本発明の実施形態を例示的に示すものであって具体的な構成はこの実施形態に限られるものではなく、本発明は他の種々の変形態様および変更態様で実施することができ、この発明の要旨を逸脱しない範囲の設計等も含まれる。
【産業上の利用可能性】
【００６７】
高周波数帯を利用してユーザの端末と通信する無線通信システムに利用可能である。
【符号の説明】
【００６８】
１１１−１、１１１−２、１１１−３…座席
１１２…背もたれ
１３１、１３３、１３４、５０３…反射部
１３５、５０４…電波吸収帯
２１１、２２１，２３１…漏洩導波管
２１２、２２２…スロット
３１１、３２１、３４１…無線アクセスポイント
４２１…座席支持構造
５００、５１０…座席カバー
５０１ａ、５０１ｂ、５０１ｃ、５０１ｄ…取り付けベルト
５０２…前面部
５１１…ポケット
【図１】
2018037779.tif 000003
【図２】
2018037779.tif 000004
【図３】
2018037779.tif 000005
【図４】
2018037779.tif 000006
【図５】
2018037779.tif 000007
【図６】
2018037779.tif 000008
【図７】
2018037779.tif 000009
【図８】
2018037779.tif 000010
【図９】
2018037779.tif 000011
【図１０】
2018037779.tif 000012
【図１１】
2018037779.tif 000013
【図１２】
2018037779.tif 000014
【図１３】
2018037779.tif 000015
【図１４】
2018037779.tif 000016